(57)【要約】      （修正有）【課題】自分独自のもので他のものと差別化した、外側の面を飾ったり、特定の情報を提示することができる手帳を提供する。【解決手段】カバーは、本体冊子２の表紙及び裏表紙に対応する一対の面シート部１０が背シート部１１により連結された一体形状をなし、それら面シート部の内側には本体冊子２の表紙及び裏表紙を保持する保持部が形成され、少なくとも一方の面シート部の内側には、シート状物Ｐを出し入れ口を介して抜き差し可能に保持するポケット部３が形成され、さらにポケット部３に対応して、面シート部１０にはポケット部に収納したシート状物Ｐを面シート部の外側から視認させる開口となる窓部２０が形成することができる。【選択図】図２
0003108490.tif 000002
【実用新案登録請求の範囲】
【請求項１】
中身の冊子を構成する携帯手帳の本体冊子と、その本体冊子を、それの表紙、背部及び裏表紙に跨って被覆するとともに、その本体冊子に対し着脱可能に装着されたカバーとを有する手帳であって、
前記カバーは、前記本体冊子の表紙及び裏表紙に対応する一対の面シート部が背シート部により連結された一体形状をなし、それら面シート部の内側には前記本体冊子の表紙及び裏表紙を保持する保持部が形成され、少なくとも一方の面シート部の内側には、シート状物を出し入れ口を介して抜き差し可能に保持するポケット部が形成され、さらに該ポケット部に対応して、前記面シート部には該ポケット部に収納したシート状物を該面シート部の外側から視認させる開口となる窓部が形成されていることを特徴とする手帳。
【請求項２】
前記ポケット部の少なくとも前記面シート部の窓部側は透視性シート又は開口とされている請求項１に記載の手帳。
【考案の詳細な説明】
【技術分野】
【０００１】
本考案は、手帳に関する。
【背景技術】
【０００２】
従来、手帳は、外側となる面を飾ったり、特定の情報を提示するためには、外側となる面に印刷等を施す必要があった。
【０００３】
個人が生活、仕事等において使用する手帳には様々なものが提供されており、それら手帳は使用者の用途あるいは目的等に応じる形で多種提供されている。また、表紙においても、他のものとの差別化が求められている。
【考案の開示】
【考案が解決しようとする課題】
【０００４】
しかしながら、このような手帳の表紙では、印刷の手間と費用がかかり、一度印刷したら、そのデザインを代えることができなかった。もしそのデザインを代えるなら、カバーを新たに購入等し交換することでしか、表紙のデザインを代えることができなかった。
【０００５】
そこで、本考案は前記課題を解決することを目的とし、自分独自のもので他のものと差別化した、外側の面を飾ったり、特定の情報を提示することができる手帳を提供することにある。
【課題を解決するための手段及び考案の効果】
【０００６】
上記のような課題を解決するために本考案は、中身の冊子を構成する携帯手帳の本体冊子と、その本体冊子を、それの表紙、背部及び裏表紙に跨って被覆するとともに、その本体冊子に対し着脱可能に装着されたカバーとを有する手帳であって、
前記カバーは、前記本体冊子の表紙及び裏表紙に対応する一対の面シート部が背シート部により連結された一体形状をなし、それら面シート部の内側には前記本体冊子の表紙及び裏表紙を保持する保持部が形成され、少なくとも一方の面シート部の内側には、シート状物を出し入れ口を介して抜き差し可能に保持するポケット部が形成され、さらに該ポケット部に対応して、前記面シート部には該ポケット部に収納したシート状物を該面シート部の外側から視認させる開口となる窓部が形成されていることを特徴とする。
【０００７】
上記本考案の手帳は、例えば独自の写真やカード等のシート状物をポケット部に収納すれば、外側の窓部より写真やカード等を視認することができ、手帳を他にない独自のもので飾ることができる。また、カバー内側にポケット部が形成されているため、本体冊子をめくっても本体冊子の表紙でポケット部が見えることも無いので体裁もよくなる。
【０００８】
しかも、装飾として飽きた場合には、他の写真やカード等を収納すればよいので、全く異なった表紙とすることも容易である。このように、上記考案の手帳は、窓部とポケット部を設けただけの簡単な構造であるため、安価であるにも拘らず、優れた効果を有する。
【０００９】
また本考案の手帳は、前記ポケット部の少なくとも前記面シート部の窓部側は透視性シート又は開口とされていることを特徴とすることができる。これにより、窓部に透視性シートが備えられているため、ポケット部内に収納された写真やカード等のシート状物が汚れたり、損傷することが少なくなる。
【考案を実施するための最良の形態】
【００１０】
（実施例１）
以下、本考案の実施の形態につき、図面に示す実施例を参照して説明する。尚、本考案の手帳において、ビジネス手帳が好適な実施例であるため、ビジネス手帳を例に説明する。しかし、本考案をビジネス手帳に限定するものではない。図１は、本考案のビジネス手帳のカバーが閉じた状態を示す斜視図である。図２は、本考案のビジネス手帳のカバーの内側を示す説明図である。図３は、本考案のビジネス手帳の本体冊子とカバーの関係を示す説明図である。図４は図２における要部拡大図である。図５は、図４におけるＡ−Ａ線、Ｂ−Ｂ線の断面図である。
【００１１】
図１、図２および図３に示すように、本考案のビジネス手帳は、ビジネス手帳カバー（以下、単にカバーとも略す）１と、手帳の本体冊子（以下、単に本体冊子とも略す）２で構成されており、カバー１は、本体冊子２の表紙、背部及び裏表紙に対応する一対の面シート１０と、カバー１を本体冊子２に装着する際に、本体冊子２の表紙及び裏表紙を保持する保持部である背シート１１、１１と、面シート１０の内側に形成されるポケット部３と、面シート１０のポケット部３に対応した位置に、ポケット部３に収納した写真等のシート状物Ｐを外側から視認させる開口した矩形状の窓部２０で構成されている。
【００１２】
背シート１１、１１は面シート１０の内側の両側縁部に相対向するように配置され、面シート１０に重ねられており、背シート１１の外周縁三辺が接合部１２で熱溶着されている。これにより、面シート１０と背シート１１、１１は連結され一体形状を成している。また、背シート１１、１１の熱溶着されていない残りの一辺は、対向して開口し、表紙挿入部１３、１３を形成している。これにより、本体冊子２の表紙を一方の表紙挿入部１３より挿入し、裏表紙をもう一方の表紙挿入部１３より挿入することで、カバー１を本体冊子２に被覆装着することができる。
【００１３】
また、図示しないが、背シート１１は、面シート１０を延出し、その延出部を面シート１０の内側方向に折り返し、その折り返された延出部で構成することもできる。このとき、延出部と面シート１０との連接部に折り返し辺を設け、延出部を折り返し辺で面シート１０の内側方向に折り返す。折り返された延出部の外周縁三辺の残りの二辺の接合部を熱溶着し相対向して開口する表紙挿入部１３を形成してもよい。また、連接部は、面シート１０において、相対向する辺に形成することが好ましいが、外周縁三辺であれば構わない。
【００１４】
尚、本実施例では、窓部２０を矩形状としたが、例えば、円、楕円、多角形、星型などの形状としてもよく、その形状、位置、数は特に問わない。したがって、本体冊子２にカバー１を装着した場合に、表表紙に限らず、背部及び裏表紙に窓部２０が形成されてもよい。また、それら表紙を跨った状態で窓部２０が形成されてもよい。しかし、その場合は、本体冊子２に装着した際に、窓部２０が背部で折り曲がった状態となるため、シート状物Ｐがフレキシブルである必要がある。
【００１５】
また、本実施例では、背シート１１は、透視性を有している。これは、面シート１０の内側に形成したポケット部３にシート状物Ｐを出し入れする際に、背シート１１を介しても、そのポケット部３の位置を即座に把握でき、シート状物Ｐの出し入れをスムーズに行うことができるためである。
【００１６】
また、背シート１１を不透明にし、背シート１１の内側にポケット部３を形成させ、そのポケット部３の対応した位置に窓部２０を設けることもできる。これにより、背シート１１を飾ることができ、さらに自分独自のビジネス手帳とすることができる。
【００１７】
次に、図４及び図５に示すように、面シート１０に形成されたポケット部３は、第１透視性シート４と第２透視性シート５で構成されている。このとき、第２透視性シート５は、不透明とすることもできるが、透明であると、写真等のシート状物Ｐを出し入れする際に、窓部２０より、綺麗に収納されているか見ることなく、面シート１０内側より確かめることができる。
【００１８】
第１透明シート４は、窓部２０の外縁部に接合部２１で熱溶着されている。このとき、第１透視性シート４は、面シート１０の表側に熱溶着してもよい。接合部２１を窓部２０の外縁部に形成することにより、ポケット部３に写真等をいれたとき、その溶着跡が写真等の額縁の役割となり、より美観がよくなる。また、窓部２０の外縁部で第１透視性シート４で溶着されることにより、面シート１０と第１透視性シート４が窓部２０で一体形状をなすことができる。
【００１９】
次に、ポケット部３は、第１透視性シート４の一部と重なる状態で第２透視性シート５が重ね合わされている。第２透視性シート５は、外周縁三辺の接合部２２で熱溶着されている。これにより、接合部２２の残りの外周縁部がシート状物Ｐの出し入れ口６として形成され、ポケット部を構成している。また、出し入れ口６は、面シート１０の中心方向に向いて形成しているが、窓部２０及びポケット部３の形状、位置にともない、所定の方向に形成すればよい。
【００２０】
（変形例１）
また、図６は、本考案のビジネス手帳の変形例における説明図である。図６に示すように、第２透視性シート５は、窓部２０を含むように形成することができる。これにより、写真などを窓部２０の大きさに調整し切断などすることなく収納することができ、例えば顔などの一番見たい場所だけを窓部２０より視認することができる。
【００２１】
尚、本考案の接合部において、熱溶着による接着方法で行ったが、接着剤などの接着部材で接着固定することもできる。
【図面の簡単な説明】
【００２２】
【図１】本考案のビジネス手帳のカバーが閉じた状態を示す斜視図
【図２】本考案のビジネス手帳のカバーの内側を示す説明図
【図３】本考案のビジネス手帳の本体冊子とカバーの関係を示す説明図
【図４】図２における要部拡大図
【図５】図４におけるＡ−Ａ線、Ｂ−Ｂ線の断面図
【図６】本考案のビジネス手帳の変形例における説明図
【符号の説明】
【００２３】
１    カバー
２    本体冊子
３    ポケット部
４    第１透視性シート
５    第２透視性シート
６    出し入れ口
１０  面シート
１１  背シート
１２、２１、２２    接合部
２０  窓部
Ｐ    シート状物
【図１】
0003108490.tif 000003
【図２】
0003108490.tif 000004
【図３】
0003108490.tif 000005
【図４】
0003108490.tif 000006
【図５】
0003108490.tif 000007
【図６】
0003108490.tif 000008